(57)【要約】【課題】板状製品の上面の全体を覆うことなく、使用量の少ない包装材料で効果的に保護包装することを可能とした板状製品の外縁端部包装用保護材を提供する。【解決手段】板状製品の裏面端部にあてがう第１面部１、第２面部２及び第３面部３とが側面視略コ字形に折り曲げられ、第３面部３上に板状製品の表面端部にあてがう第４面部４を折り重ね、第４面部４から第２面部２と略平行に起立し第２面部との間に間隔を有して折り曲げられ板状製品の外縁にあてがう第５面部５とが、一枚の板紙等の板材を用い折線ａ，ｂ，ｃ，ｄ，ｅを介して連設され、板状製品の外縁部分を覆って装着する包装用保護材Ａ。【選択図】　図１
2004106926.tif 000002
【特許請求の範囲】
【請求項１】
一枚の板材で折線を介して連設され、板状製品の裏面端部にあてがう第１面部と、第２面部及び第３面部とで側面視が略コ字形に折り曲げられ、上記第３面部上に板状製品の表面端部にあてがう第４面部を折り重ね、この第４面部から前記第２面部と略平行に起立し第２面部との間に間隔を有して折り曲げられ板状製品の外縁にあてがう第５面部を備える板状製品の外縁端部包装用保護材。
【請求項２】
第２面部と第５面部との間の間隔に、第５面部から折り返した第６面部を介在させてなる請求項１記載の板状製品の外縁端部包装用保護材。
【請求項３】
第２面部と第５面部との間の間隔に、発泡体を介在させてなる請求項１記載の板状製品の外縁端部包装用保護材。
【請求項４】
板状製品が、キッチンの水槽付き天板である請求項１〜請求項３のいずれかに記載の板状製品の外縁端部包装用保護材。
【発明の詳細な説明】
【０００１】
【発明の属する技術分野】
本発明は、システムキッチンにおけるワークトップ（天板）等の板状製品の前縁部や後縁部又は左右両側縁部などの外縁端部の部分を包装する包装用保護材に関する。
【０００２】
【従来の技術】
図４（ａ）に示すようにワークトップとしての天板１２ａに水槽（シンク）１２ｂを備え上記の天板１２ａ部分が板状のシステムキッチンの水槽付き天板１２を、水槽付き天板１２の上面側全体と前後縁、及び底面側の略全体を覆う段ボール等からなる保護シート２０、天板１２ａの側縁に嵌合して保護する発泡スチロール等からなる端部緩衝材２２、水槽（シンク）１２ｂを覆う段ボール等からなる保護枠２３、及び天板１２ａの前縁部及び後縁部を保護するための発泡スチロール等からなる緩衝材２１を用いて包装し、図４（ｂ）に示すように保護シート２１の外側からバンド２４で結束するようにした包装方法が知られている（例えば、特許文献１参照。）。
【０００３】
【特許文献１】
特開平５−１４７６７３号公報（第１−２頁、図１−図３）
【０００４】
しかし、図４（ａ）及び（ｂ）で示した段ボール等の保護シート２０により水槽付き天板１２の上面全体及び底面の略全体を覆う包装方法では、特に幅方向寸法が長い長尺品のシステムキッチンの水槽付き天板の場合には、保護シートとして大量の段ボール等の板紙を必要とし、また、天板１２ａの前縁部及び後縁部を保護するための発泡スチロール等からなる緩衝材２１に加えて、天板１２ａの側縁に嵌合して保護するための発泡スチロール等からなる端部緩衝材２２も必要として、その使用量が多くなって不経済であり、さらに、開梱後のこれらの包装材処理も面倒となる問題を有していた。
【０００５】
【発明が解決しようとする課題】
本発明は、使用量の少ない包装材料で効果的に保護して包装することが可能な板状製品の外縁端部包装用保護材を提供しようとするものである。
【０００６】
【課題を解決するための手段】
本発明は、次のものに関する。
（１）一枚の板材で折線を介して連設され、板状製品の裏面端部にあてがう第１面部と、第２面部及び第３面部とで側面視が略コ字形に折り曲げられ、上記第３面部上に板状製品の表面端部にあてがう第４面部を折り重ね、この第４面部から前記第２面部と略平行に起立し第２面部との間に間隔を有して折り曲げられ板状製品の外縁にあてがう第５面部を備える板状製品の外縁端部包装用保護材。
（２）第２面部と第５面部との間の間隔に、第５面部から折り返した第６面部を介在させてなる上記（１）記載の板状製品の外縁端部包装用保護材。
（３）第２面部と第５面部との間の間隔に、発泡体を介在させてなる上記（１）記載の板状製品の外縁端部包装用保護材。
（４）板状製品が、キッチンの水槽付き天板である上記（１）〜（３）のいずれかに記載の板状製品の外縁端部包装用保護材。
【０００７】
【作用】
板状製品の外縁を包装する部分が、外側の第２面部と、この第２面部と間隔を有して略平行に起立し板状製品の外縁にあてがう第５面部との、空間（間隔）を間においた二重壁による包装構造となり、空間と二重壁との両方の緩衝作用により板状製品の外縁端部の保護がより効果的に行われる。
また、第２面部と第５面部との間の間隔に、第５面部から折り返した第６面部を介在させて三重壁にする形態や、より緩衝性のある発泡体を介在させて二重壁と発泡体との三重壁にする形態など、板状製品の重量等の特性に合わせた包装形態への変更が容易に行える。
【０００８】
【発明の実施の形態】
本発明における包装用保護材を形成するための板材としては、一枚の板材を折線を介して折り曲げることにより第１面部〜第５面部又は第１面部〜第６面部の各面部を形成することが可能で、板状製品の外縁端部を保護する目的からある程度の緩衝性があるものあれば特に限定されないが、板紙であれば紙製の段ボールシート、又はポリプロピレン製等のプラスチック段ボールシート、あるいは、ポリプロピレン等の板状発泡体などが用いられる。
【０００９】
第２面部と第４面部から起立して折り曲げられる第５面部との間の間隔は、被包装物の板状製品が比較的軽量な製品、例えばステンレス製天板からなる水槽付き天板のような場合は、この間隔に第５面部から連設して折り返される第６面部を介在させることができる程度の寸法に、また、板状製品が高重量の製品、例えば人造大理石製天板からなる水槽付き天板のような場合には、この間隔に包装後の強度保持のための木材板、プラスチック板又は金属板などを介在できる程度の寸法に、さらには、緩衝効果をより必要とする板状製品の場合には発泡スチロール等の発泡体を介在できる程度の寸法の間隔とするのが好ましい。
【００１０】
一枚の板材で各面部を連設するための折線は、段ボール等の板紙で通常使用されている折線の他、ミシン目用折線や切り刃併用折線など、板材の厚さや折り曲げ方向に応じた折り曲げ易い折線が用いられる。
【００１１】
【実施例】
以下、本発明による板状製品の外縁端部包装用保護材の実施例を図１乃至図３を参照して説明する。
図１（ａ）〜図１（ｃ）はそれぞれ本発明の一実施例による包装用保護材を示し、図１（ａ）は包装用保護材の展開図、図１（ｂ）は包装用保護材の組み立て状態を示す斜視図、図１（ｃ）は包装用保護材を組み立てた状態の斜視図、図２（ａ）〜図２（ｃ）はそれぞれ図１とは別の実施例による包装用保護材を示し、図２（ａ）は包装用保護材の展開図、図２（ｂ）は包装用保護材の組み立て状態を示す斜視図、図２（ｃ）は包装用保護材を組み立てた状態の斜視図であり、図３（ａ）は図１及び図２に示した実施例による包装用保護材を使用して板状製品としての水槽付き天板を包装する状態を示す分解斜視図、図３（ｂ）は包装後の荷姿の斜視図である。
【００１２】
（実施例１）
図１（ａ）において、被包装物の水槽付き天板１１（図３参照）の幅方向の寸法に合わせた幅寸法に裁断した一枚の板材として紙製の段ボールシートを使用し、第１面部１〜第６面部６までの各面部が折り曲げにより連設できるように折線ａ，ｂ，ｃ，ｄ，ｅを入れて、この折線を介して各面部が連設できるようにした。実施例では、第１面部１〜第３面部３までを連設するための折線ａ．ｂは、ミシン目切り込みｆ併用折線とし、第３面部３と第４面部４、及び第５面部５と第６面部６を連設するための折線ｃ，ｅは、切り刃ｈと繋ぎ部ｇとからなる切り刃繋ぎ部併用折線とし、第４面部４から第５面部５を連設するための折線ｄは逆折りとなるため、段ボールシートの表ライナー（表面の紙）を一枚残した半切りｊの折線とした。
このような折線ａ．ｂ．ｃ．ｄ．ｅを入れた段ボールシートを、図１（ｂ）に示すように第１面部１、第２面部２及び第３面部３とで側面視がコ字形となるように折り曲げ、第３面部３の上に第４面部４を重ねて折り返し、第５面部５が第２面部２と平行になるように起立させて折り曲げ、第６面部６を第２面部２と第５面部５との間に位置するように折り返して組み立て、図１（ｃ）に示す形状の包装用保護材Ａを組み立てた。
【００１３】
（実施例２）
図２（ａ）に示すように、実施例１と同様に被包装物の水槽付き天板１１（図３参照）の幅方向の寸法に合わせた幅寸法に裁断した一枚の板材として紙製の段ボールシートを用い、第１面部１〜第５面部５までの各面部が折り曲げにより連設できるように折線ａ，ｂ，ｃ，ｄを入れ、この折線を介して各面部が連設できるようにして、実施例１と同様に図２（ｂ）に示すように折り曲げて組み立て、図２（ｃ）に示す形状の包装用保護材Ａを組み立てた。
なお、実施例２では、実施例１における第６面部６に代えて、第２面部２と第５面部５との間に、より緩衝性のある発泡体７が位置するように、予め第５面部５上に発泡体７を接着により固定した後、折り曲げて組み立てた。
【００１４】
（実施例３）
図示は省略したが、図２（ａ）に示した段ボールシートに発泡体７を接着しない状態で折り曲げて組み立て、第２面部２と第５面部５との間に間隔を有する形態の包装用保護材を組み立てた。
【００１５】
上記の実施例で説明した包装用保護材図Ａを、３（ａ）に示すように天板１１ａに水槽１１ｂを装着した水槽付き天板１１の前縁部分とバックガードが立設された後縁部分とに、包装用保護材Ａの第１面部１を水槽付き天板１１の水槽付き天板１１の裏面端部、第４面部４を水槽付き天板１１の表面端部、及び第５面部５を水槽付き天板１１の外縁部分にあてがわせてそれぞれ嵌合装着した後、水槽付き天板１１の側縁部分には別に製作した段ボール製の側面コ字形の側縁保護材９を嵌合し、水槽１１ｂには段ボール製の水槽保護キャップ８を被せて、図３（ｂ）に示すように外側からバンド１０で結束して包装した。
【００１６】
【発明の効果】
以上説明したように、本発明の板状製品の外縁端部包装用保護材によれば、一枚の板材で折線を介して連設され板状製品の外縁にあてがう部分が、第２面部とこの第２面部と間隔を有して折り曲げられた第５面部との間隔（空間）を間においた二重壁による包装構造となり、空間と二重壁との両方の緩衝作用により板状製品の外縁端部がより効果的に包装保護されるため、板状製品の上面の全体を覆うことなく、使用量の少ない包装材料で効果的に保護して包装することが可能となる。
また、板状製品の外縁付近の製品面となる表面側端部も、第２面部とこの上に折り重ねた第４面部との二重の壁で保護されるので、板状製品をより安全に保護することができる。
【図面の簡単な説明】
【図１】（ａ）は本発明の実施例による包装用保護材の展開図、（ｂ）は本発明の実施例による包装用保護材の組み立て状態を示す斜視図、（ｃ）は本発明の実施例による包装用保護材を組み立てた状態の斜視図である。
【図２】別の実施例による包装用保護材を示し、（ａ）は包装用保護材の展開図、（ｂ）は包装用保護材の組み立て状態を示す斜視図、（ｃ）は包装用保護材を組み立てた状態の斜視図である。
【図３】（ａ）は本発明の実施例による包装用保護材を使用して板状製品としての水槽付き天板を包装する状態を示す分解斜視図、（ｂ）は包装後の荷姿の斜視図である。
【図４】（ａ）は従来例による水槽付き天板の包装形態を示す分解斜視図、（ｂ）は（ａ）の包装形態による包装後の荷姿の斜視図である。
【符号の説明】
１　第１面部　　　　　　　　　　　　　　　２　第２面部
３　第３面部　　　　　　　　　　　　　　　４　第４面部
５　第５面部　　　　　　　　　　　　　　　６　第６面部
７　発泡体　　　　　　　　　　　　　　　　Ａ　包装用保護材
ａ，ｂ，ｃ，ｄ，ｅ　折線　　　　　　　　　　　ｆ　ミシン目切り込み
ｇ　繋ぎ部　　　　　　　　　　　　　　　　ｈ　切り刃
ｊ　半切り　　　　　　　　　　　　　　　　８　水槽保護キャップ
９　側縁部保護材　　　　　　　　　　　　１０　バンド
１１　水槽付き天板（板状製品）　　　　　１１ａ　天板
１１ｂ　水槽　　　　　　　　　　　　　　　　２０　保護シート
２１　緩衝材　　　　　　　　　　　　　　　２２　側縁保護材
２３　水槽保護枠
【図１】
2004106926.tif 000003
【図２】
2004106926.tif 000004
【図３】
2004106926.tif 000005
【図４】
2004106926.tif 000006